(57)【要約】【課題】コンテンツ一覧表やＥＰＧなどの一覧画面において、ユーザにとって有意義な各コンテンツの情報をコンテンツ一覧表示やＥＰＧと共にユーザにわかりやすく且つ簡易的に表示すること。【解決手段】表示画面４０１において、保存されたデータに関連づけられた代表画像やテキストデータに基づいて作成された情報表示項目が複数一覧で表示されて、その中から特定の情報表示項目を任意に選択することができるような構造になっている一覧画面が表示されるコンテンツ一覧表示エリア４０４と、前記一覧画面内で選択された情報表示項目に該当するデータやデータを保存している媒体を基に生成された、視聴状態キャラクタ４０３やジャンルキャラクタ４０８や保存位置キャラクタ４０９が表示される、列側キャラクタ表示エリア４０２や行側キャラクタ表示エリア４０７と、を同一画面上で隣接して表示させる。【選択図】  図４
2010034679.tif 000002
【特許請求の範囲】
【請求項１】
録画された映像コンテンツに関連づけられたサムネイル画像を含む複数の情報表示項目が、選択可能に一覧で表示される一覧画面を表示することができるコンテンツ一覧表示装置において、
前記一覧画面が表示される第１のエリアと、前記第１のエリアに隣接されたエリアであって前記一覧画面内で選択された情報表示項目に関連づけられたキャラクタ画像が表示される第２のエリアとを有する表示画面を生成する生成手段と、
前記生成手段により生成された表示画面を表示部に出力する出力手段とを具備したコンテンツ一覧表示装置。
【請求項２】
前記一覧画面は、前記複数の情報表示項目が複数の行と列とで構成されたマトリクス状に一覧で表示されていることを特徴とする、請求項１記載のコンテンツ一覧表示装置。
【請求項３】
前記一覧画面は、前記複数の情報表示項目が３次元に可視化されて一覧で表示されていることを特徴とする、請求項１記載のコンテンツ一覧表示装置。
【請求項４】
前記第１のエリアは底辺と側辺を有する矩形形状であって、前記第２のエリアは前記側辺に隣接した行側エリアもしくは前記底辺に隣接した列側エリアとで構成されることを特徴とする、請求項２記載のコンテンツ一覧表示装置。
【請求項５】
前記キャラクタ画像は、前記映像コンテンツに関連づけられたテキストベースのメタデータや映像データが保存されている記録媒体の接続状態に関連づけられたものであって、前記一覧画面内で選択された前記情報表示項目と同じ列の前記列側エリア上の位置に表示されるものであることを特徴とする、請求項４記載のコンテンツ一覧表示装置。
【請求項６】
前記キャラクタ画像は、前記一覧画面内で選択された前記情報表示項目と同じ行の前記行側エリア上の位置に表示されるものであることを特徴とする、請求項５記載のコンテンツ一覧表示装置。
【請求項７】
録画された映像コンテンツに関連づけられたサムネイル画像を含む複数の情報表示項目が、選択可能に一覧で表示される一覧画面を表示する機能を有するコンテンツ一覧表示装置のコンテンツ一覧表示方法において、
前記一覧画面が表示される第１のエリアと、前記第１のエリアに隣接されたエリアであって前記一覧画面内で選択された情報表示項目に関連づけられたキャラクタ画像が表示される第２のエリアとを有する表示画面を生成し、
前記生成された表示画面を表示部に出力するコンテンツ一覧表示方法。
【請求項８】
前記一覧画面は、前記複数の情報表示項目が複数の行と列とで構成されたマトリクス状に一覧で表示されていることを特徴とする、請求項７記載のコンテンツ一覧表示方法。
【請求項９】
前記一覧画面は、前記複数の情報表示項目が３次元に可視化されて一覧で表示されていることを特徴とする、請求項７記載のコンテンツ一覧表示方法。
【請求項１０】
前記第１のエリアは底辺と側辺を有する矩形形状であって、前記第２のエリアは前記側辺に隣接した行側エリアもしくは前記底辺に隣接した列側エリアとで構成されることを特徴とする、請求項８記載のコンテンツ一覧表示方法。
【請求項１１】
前記キャラクタ画像は、前記映像コンテンツに関連づけられたテキストベースのメタデータや映像データが保存されている記録媒体の接続状態に関連づけられたものであって、前記一覧画面内で選択された前記情報表示項目と同じ列の前記列側エリア上の位置に表示されるものであることを特徴とする、請求項１０記載のコンテンツ一覧表示方法。
【請求項１２】
前記キャラクタ画像は、前記一覧画面内で選択された前記情報表示項目と同じ行の前記行側エリア上の位置に表示されるものであることを特徴とする、請求項１１記載のコンテンツ一覧表示方法。
【請求項１３】
前記第1のエリアには、電子番組表の番組欄を含む前記複数の情報表示項目を選択可能に一覧で表示し、前記第２のエリアには、前記キャラクタ画像が表示される、請求項４記載のコンテンツ一覧表示装置。
【請求項１４】
前記キャラクタ画像は、前記番組欄に関連づけられたテキストベースのメタデータや前記電子番組表データが保存されている記録媒体の接続状態に関連づけられたものであって、前記一覧画面内で選択された前記情報表示項目と同じ列の前記列側エリア上の位置に表示されるものであることを特徴とする、請求項１３記載のコンテンツ一覧表示装置。
【請求項１５】
前記キャラクタ画像は、前記一覧画面内で選択された前記情報表示項目と同じ行の前記行側エリア上の位置に表示されるものであることを特徴とする、請求項１４記載のコンテンツ一覧表示装置。
【請求項１６】
前記第1のエリアには、電子番組表の番組欄を含む前記複数の情報表示項目を選択可能に一覧で表示し、前記第２のエリアには、前記キャラクタ画像が表示される、請求項１０記載のコンテンツ一覧表示方法。
【請求項１７】
前記キャラクタ画像は、前記番組欄に関連づけられたテキストベースのメタデータや前記電子番組表データが保存されている記録媒体の接続状態に関連づけられたものであって、前記一覧画面内で選択された前記情報表示項目と同じ列の前記列側エリア上の位置に表示されるものであることを特徴とする、請求項１６記載のコンテンツ一覧表示方法。
【請求項１８】
前記キャラクタ画像は、前記一覧画面内で選択された前記情報表示項目と同じ行の前記行側エリア上の位置に表示されるものであることを特徴とする、請求項１７記載のコンテンツ一覧表示方法。
【発明の詳細な説明】
【技術分野】
【０００１】
本発明は、ＨＤＤレコーダやテレビなどのコンテンツ一覧表示装置および表示方法に関する。
【背景技術】
【０００２】
放送番組や、外部機器から入力された映像コンテンツをＨＤＤ（Ｈａｒｄ  Ｄｉｓｃ  Ｄｒｉｖｅ；ハードディスクドライブ）などの記録媒体に保存し、その中から任意のコンテンツを選択して視聴したり、電子番組表（Ｅｌｅｃｔｒｏｎｉｃ  Ｐｒｏｇｒａｍｍｉｎｇ  Ｇｕｉｄｅ；電子番組ガイド、以下ＥＰＧと称する）を表示する機能を持つＨＤＤレコーダは、近年記録容量の増加にともない、多くの映像コンテンツを記録することができるようになった。
【０００３】
そしてユーザは、ＨＤＤレコーダに記録された多くの映像コンテンツから視聴したいコンテンツを選択したり検索する場合、記録された複数のコンテンツを定められた整列順序と数量で一覧表示させて、その一覧された複数のコンテンツの中からコンテンツを選択したり検索する。
【０００４】
例えば、特許文献１では、カテゴリと項目の二次元配列によるメニュー画面を表示させ、選択中のアイコンの近傍にグループ名、番組名、放送局などを表示するようにして、選択コンテンツの強調表示と情報表示ができるものが開示されている。
【特許文献１】特開２００６−３３０９４号公報 （図３  段落０１２３）
【発明の開示】
【発明が解決しようとする課題】
【０００５】
ところが、近年記録媒体の大容量化に伴う記録されたデータの増加や、放送局の増加による番組数の増加によって、大量になった記録データやＥＰＧからの特定コンテンツの検索には、コンテンツ一覧表やＥＰＧの表示画面に検索容易性が求められてきている。
【０００６】
しかし従来技術では、コンテンツ一覧表やＥＰＧなどの一覧画面においては、情報が多すぎると画面が煩雑になったり、また情報が少なすぎるとコンテンツの特定が困難になったり、と、ユーザにとって有意義な各コンテンツの情報を、コンテンツ一覧表示やＥＰＧと共にユーザにわかりやすく且つ簡易的に表示することは難しかった。
【０００７】
そこで、本発明は上述した課題を解決するために、各コンテンツの情報をユーザにわかりやすく且つ簡易的に表示することが可能なコンテンツ一覧表示装置および表示方法を提供することを目的とする。
【課題を解決するための手段】
【０００８】
本発明は上述したような課題を解決するため、録画された映像コンテンツに関連づけられたサムネイル画像を含む複数の情報表示項目が、選択可能に一覧で表示される一覧画面を表示することができるコンテンツ一覧表示装置において、前記一覧画面が表示される第１のエリアと、前記第１のエリアに隣接されたエリアであって前記一覧画面内で選択された情報表示項目に関連づけられたキャラクタ画像が表示される第２のエリアとを有する表示画面を生成する生成手段と、前記生成手段により生成された表示画面を表示部に出力する出力手段とを備えるものである。
【０００９】
また本発明は上述した課題を解決するため、前記一覧画面は、前記複数の情報表示項目が複数の行と列とで構成されたマトリクス状に一覧で表示されていることを特徴とするものである。
【００１０】
また本発明は上述した課題を解決するため、前記第１のエリアは底辺と側辺を有する矩形形状であって、前記第２のエリアは前記側辺に隣接した行側エリアもしくは前記底辺に隣接した列側エリアとで構成されることを特徴とするものである。
【００１１】
また本発明は上述した課題を解決するため、前記キャラクタ画像は、前記映像コンテンツに関連づけられたテキストベースのメタデータや映像データが保存されている記録媒体の接続状態に関連づけられたものであって、前記一覧画面内で選択された前記情報表示項目と同じ列の前記列側エリア上の位置に表示されるものであることを特徴とするものである。
【００１２】
また本発明は上述した課題を解決するため、前記キャラクタ画像は、前記一覧画面内で選択された前記情報表示項目と同じ行の前記行側エリア上の位置に表示されるものであることを特徴とするものである。
【００１３】
また本発明は上述した課題を解決するため、録画された映像コンテンツに関連づけられたサムネイル画像を含む複数の情報表示項目が、選択可能に一覧で表示される一覧画面を表示する機能を有するコンテンツ一覧表示装置のコンテンツ一覧表示方法において、前記一覧画面が表示される第１のエリアと、前記第１のエリアに隣接されたエリアであって前記一覧画面内で選択された情報表示項目に関連づけられたキャラクタ画像が表示される第２のエリアとを有する表示画面を生成させ、前記生成された表示画面を表示部に出力するものである。
【００１４】
また本発明は上述した課題を解決するため、前記第1のエリアには、電子番組表の番組欄を含む前記複数の情報表示項目が選択可能に一覧で表示され、前記第２のエリアには、前記キャラクタ画像が表示されるものである。
【発明の効果】
【００１５】
本発明によれば、表示画面が、一覧画面が表示される第１のエリアと、前記第１のエリアに隣接されたエリアであって前記一覧画面内で選択された情報表示項目に関連づけられたキャラクタ画像が表示される第２のエリアとを有するので、各コンテンツの情報をユーザにわかりやすく且つ簡易的に表示することが可能となる。
【発明を実施するための最良の形態】
【００１６】
以下、本発明における実施形態について図面を用いて説明する。
【００１７】
図1は、本実施形態によるＨＤＤレコーダのシステム構成例を示す図である。
【００１８】
ＨＤＤレコーダ１０１は、制御部（以下ＣＰＵと称する）１０３を有し、制御バス１０２を介して、接続されていた各種デバイスを制御する。
【００１９】
ＲＯＭ１０４は、ＣＰＵ１０３がＨＤＤレコーダ１０１の動作を制御するために実行するプログラムデータを予め記憶する。
【００２０】
ＲＡＭ１０５は、ＣＰＵ１０３のワークメモリとして使用され、本実施形態では、映像コンテンツ一覧リストや、選択されたコンテンツに関連するキャラクタを表示するための表示データを作成するワークメモリとして使用される。
【００２１】
通信部１１０は、ＬＡＮなどのネットワーク手段であり、図示されていないネットワーク接続された機器やサーバー装置からコンテンツやＥＰＧのデータを取り込み、それらのデータを制御バス１０２に出力する。
【００２２】
チューナ１１１は、例えば地上デジタル放送などを受信する放送受信手段であり、放送番組を選局受信して、その放送番組に含まれる画像（映像）および音声信号、ＥＰＧデータ等を制御バス１０２に出力する。
【００２３】
信号入出力部１１２は、映像や音声の入出力端子、ＵＳＢ端子やＤＶ端子を備え、カメラ等の外部機器と制御バス１０２の間で映像や音声信号をやりとりする画像音声入出力手段である。
【００２４】
表示画面生成手段１１３は、本実施形態の特徴であるコンテンツ一覧表示画面や映像信号などの、信号入出力部１１２を通して出力される表示画面を生成する手段である。
【００２５】
映像音声演算部１１４は、通信部１１０やチューナ１１１、信号入出力部１１２を通してやりとりする画像（映像）や音声信号の、エンコード処理やデコード処理を行う。
【００２６】
メタデータ保存手段１１５は、取得した映像コンテンツやＥＰＧデータに関連するメタデータを保存する記録手段であり、メタデータとしては放送番組やコンテンツのジャンルやＡＶフォーマット、コンテンツの容量などが含まれ、これらメタデータをテキストベースのデータとして映像コンテンツに関連づけて保存する。
【００２７】
コンテンツ保存手段１１６は、チューナ１１１により取得した放送番組や、通信部１１０や信号入出力部１１２により取得した映像コンテンツを保存するとともにそれらを一覧表示するためのサムネイルデータなどを保存する。
【００２８】
ＥＰＧデータ保存手段１０８は、通信部１１０やチューナ１１１により取得されたＥＰＧデータを保存する。ＥＰＧデータには、各放送番組の放送局名、放送番組名、番組開始時刻、番組終了時刻、出演者、番組のジャンルなどのデータが含まれる。
【００２９】
オブジェクト保存手段１０９は、本実施形態の特徴のひとつである、ＥＰＧやコンテンツのメタデータに対応したアイコンやキャラクタなどのオブジェクトデータを保存する保存手段であり、詳細は別途図面を用いて説明する。
【００３０】
オブジェクト選択手段１０７は、ＥＰＧやコンテンツのメタデータに対応させて、オブジェクト保存手段１０９内のアイコンやキャラクタなどのオブジェクトを選択する選択手段であり、ここで行われるメタデータとオブジェクトとの対応例の説明に関しては後述する。
【００３１】
リモコン送受信手段１０６は、リモコン１１７との送受信信号を制御バス１０２へ入出力する。リモコン１１７の説明に関しても後述する。
【００３２】
以上説明したシステム構成に基づいて、本実施形態の特徴であるコンテンツ一覧リストの表示形態について、第１および第２、第３、第４、第５の実施形態として図面を用いて説明する。
【００３３】
（第１の実施形態）
まず初めに、本実施形態のＨＤＤレコーダやテレビにおけるコンテンツ一覧表示装置の第１の実施形態として、図２と図５、図８、図９、図１１を用いて説明する。
【００３４】
図２は、本発明のコンテンツ一覧表示装置の第１の実施形態を説明するものであり、図８と図９は、その実施形態の動作を説明するためのフローチャートである。図５は、画面の操作をおこなうためのリモコンを説明するものであり、図１１は本発明のコンテンツ一覧表示装置の第１の実施形態にて表示される内容を説明するための表である。
【００３５】
第１の実施形態では、図２に示すように表示画面２０１上には大きく分けて３つのエリアが設けられている。一つはコンテンツ一覧表示エリア２０４で、このエリアは底辺と上辺と２つの側辺を有する矩形形状であって表示画面２０１上の左上側に寄って表示されている。もう一つは列側キャラクタ表示エリア２０２で、表示画面２０１上の画面左下側に、コンテンツ一覧表示エリア２０４とほぼ同じ幅でコンテンツ一覧表示エリア２０４の底辺に隣接して表示されている。もう一つはコンテンツ情報表示エリア２０５で、コンテンツ一覧表示エリア２０４と列側キャラクタ表示エリア２０２と重ならないように表示画面２０１上の右側に表示されている。それぞれのエリアで表示される内容についての詳細な説明は後述する。
【００３６】
第１の実施形態において、画面の操作をおこなうための図５に示すリモコン１１７は、コンテンツ表示ボタン５０１およびカーソル移動のための十字方向操作ボタン５０２と、決定ボタン５０３と、表示部５０４とを少なくとも備えている。本リモコン１１７の操作により、コンテンツ一覧表示画面上でカーソル操作を行いながらコンテンツ選択などが行われる。
【００３７】
これより、図２で説明した表示形態について、具体的な内部動作を図８のフローチャートに従って詳細に説明する。
【００３８】
まず、リモコン１１７のコンテンツ表示ボタン５０１によりコンテンツ一覧表示ＯＮの操作が行われると、リモコン１１７からコンテンツ一覧表示コマンドが送信され、リモコン送受信手段１０６によりそのコマンドが受信される（図８のＳ１０１の“Ｙ”）。
【００３９】
リモコン送受信手段１０６がコンテンツ一覧表示コマンドを受信して制御バス１０２へ出力すると、ＣＰＵ１０３の制御によりコンテンツ保存手段１１６に保存されている複数の映像コンテンツに関連づけられた代表画像であるそれぞれのサムネイル画像やメタデータ保存手段１１５に保存されているテキストベースのそれぞれのメタデータに基づいて作成された複数の情報表示項目が、例えば記録された日時による時系列順で、図２に示された表示画面２０１中にコンテンツ一覧表示エリア２０４上のコンテンツＡからコンテンツＱのように、複数の行と列とで構成されたマトリクス状に選択可能に一覧で表示される（Ｓ１０２）。
【００４０】
なお図２で枠をハイライト表示するなどして強調表示がなされているコンテンツＦ２０６は、画面上のカーソルによって選択されている状態を示す（Ｓ１０３）。
【００４１】
ところで、コンテンツ情報表示エリア２０５はコンテンツ保存手段１１６に記録されているコンテンツと関連したメタデータの一部（タイトルやジャンル、コンテンツの内容説明など）をテキスト表示するエリアであり、メタデータ保存手段１１５に保存されているメタデータに基づくテキストデータが表示されている。従って、選択されているコンテンツＦ２０６に関連したメタデータの一部が、コンテンツ情報表示エリア２０５上にテキスト表示される。
【００４２】
次の処理である第１のオブジェクト表示処理（Ｓ１０４）について、図９と図１１を用いて詳細に説明する。
【００４３】
この処理の概要は、コンテンツ一覧表示エリア２０４上で選択されているコンテンツと列方向に同じで、列側キャラクタ表示エリア２０２上の位置に、そのコンテンツのメタデータを表すキャラクタを表示させるものである。キャラクタについての詳細な説明は後述する。
【００４４】
本第１の実施形態においては、選択されているコンテンツＦ２０６の状態は“録画済で尚且つ未視聴”であるので、メタデータ保存手段１１５に保存されたデータの中から、“録画済で尚且つ未視聴”に該当するメタデータを抽出する（図９のＳ２０１）。
【００４５】
さらに、オブジェクト選択手段１０７において、図１１で示されるような“録画済で尚且つ未視聴”に対応した視聴状態キャラクタ２０３を、オブジェクト保存手段１０９から選択して呼び出す（Ｓ２０２、Ｓ２０３）。
【００４６】
そして、選択された視聴状態キャラクタ２０３を、列側キャラクタ表示エリア２０２上のコンテンツＦ２０６と列方向に同じ位置に表示する（Ｓ２０４）。
【００４７】
なお図１１は、列側キャラクタ表示エリア２０２上に表示される第１のオブジェクトであるキャラクタの対応例を示している。この対応例では、コンテンツの状態には４つの状態があり、また各々の状態には４つのキャラクタが各々対応されている。これらのキャラクタは、コンテンツの状態を表す個々のメタデータを基に個々に生成されたものである。
【００４８】
ここで図８の第２のオブジェクトに関しての判定処理（図８のＳ１０５）に移行するが、本第１の実施形態においては、第２のオブジェクト表示処理のステップ（Ｓ１０６）は実行されない（Ｓ１０５の“Ｎ”）。この処理を実行する実施形態については後述する。
【００４９】
ところでユーザは、リモコン１１７上の十字方向操作ボタン５０２を操作することで、コンテンツ一覧表示画面上で、上下左右にカーソル移動をさせながら情報表示項目を任意に選択することが可能である。
【００５０】
ユーザがカーソルを移動させると、リモコン１１７からカーソル移動コマンドが送信され、リモコン送受信手段１０６によりそのコマンドが受信される（Ｓ１０７の“Ｙ”）。そして、この処理により新たに選択された情報表示項目に対して、上述した処理、即ち、選択された情報表示項目が強調表示され、そのコンテンツのメタデータに応じた内容をコンテンツ情報表示エリア２０５と列側キャラクタ表示エリア２０２上に表示する処理が再度実行される。
【００５１】
また、ユーザがカーソルを移動させなかった場合（Ｓ１０７の“Ｎ”）で、リモコン１１７のコンテンツ表示ボタン５０１によるコンテンツ一覧表示ＯＦＦの操作が行われなかった場合（Ｓ１０８の“Ｎ”）は、この処理までに選択されていた情報表示項目に対して、上述した処理、即ち、選択された情報表示項目が強調表示され、そのコンテンツのメタデータに応じた内容をコンテンツ情報表示エリア２０５と列側キャラクタ表示エリア２０２上に表示し、カーソル移動コマンドを待つ処理が再度実行される。
【００５２】
そして、ユーザがカーソルを移動させなかった場合（Ｓ１０７の“Ｎ”）で、リモコン１１７のコンテンツ表示ボタン５０１によりコンテンツ一覧表示ＯＦＦの操作が行われた場合は、リモコン１１７からコンテンツ一覧表示ＯＦＦコマンドが送信され、リモコン送受信手段１０６によりそのコマンドが受信される（Ｓ１０８の“Ｙ”）。そして、リモコン送受信手段１０６がコンテンツ一覧表示コマンドを受信して制御バス１０２へ出力すると、ＣＰＵ１０３の制御によりコンテンツ一覧表示処理は終了する（Ｓ１０９）。
【００５３】
以上説明したように第１の実施形態によれば、選択されたコンテンツの列に対応した一覧表示エリア以外のエリアにキャラクタを表示することで、コンテンツ一覧表示画面上の他のコンテンツのサムネイルを隠すことなく、ユーザは選択されたコンテンツの状態を視覚的に把握することが可能になる。
【００５４】
（第２の実施形態）
次に、本実施形態のＨＤＤレコーダやテレビにおけるコンテンツ一覧表示装置の第２の実施形態として、図３と図５、図８、図９、図１０、図１１、図１２を用いて説明する。
【００５５】
図３は、本発明のコンテンツ一覧表示装置の第２の実施形態を説明するものであり、図８と図９と図１０は、その実施形態の動作を説明するためのフローチャートである。図５は、画面の操作をおこなうためのリモコンを説明するものであり、図１１と図１２は本発明のコンテンツ一覧表示装置の第２の実施形態にて表示される内容を説明するための表である。
【００５６】
第２の実施形態では、図３に示すように表示画面３０１上には大きく分けて４つのエリアが設けられている。一つはコンテンツ一覧表示エリア３０４で、このエリアは底辺と上辺と２つの側辺を有する矩形形状であって表示画面３０１上の左上側に寄って表示されている。もう一つは列側キャラクタ表示エリア３０２で、表示画面３０１上の左下側に、コンテンツ一覧表示エリア３０４とほぼ同じ幅でコンテンツ一覧表示エリア３０４の底辺に隣接して表示されている。もう一つは行側キャラクタ表示エリア３０７で、表示画面３０１上の右上側に、コンテンツ一覧表示エリア３０４とほぼ同じ幅でコンテンツ一覧表示エリア３０４の側辺に隣接して表示されている。もう一つはコンテンツ情報表示エリア３０５で、コンテンツ一覧表示エリア３０４と列側キャラクタ表示エリア３０２と行側キャラクタ表示エリア３０７と重ならないように表示画面３０１上の右下側に表示されている。それぞれのエリアで表示される内容についての詳細な説明は後述する。
【００５７】
これより、図３で説明した表示形態について、具体的な内部動作を図８のフローチャートに従って詳細に説明する。
【００５８】
まず、リモコン１１７のコンテンツ表示ボタン５０１によりコンテンツ一覧表示ＯＮの操作が行われると、リモコン１１７からコンテンツ一覧表示コマンドが送信され、リモコン送受信手段１０６によりそのコマンドが受信される（図８のＳ１０１の“Ｙ”）。
【００５９】
リモコン送受信手段１０６がコンテンツ一覧表示コマンドを受信して制御バス１０２へ出力すると、ＣＰＵ１０３の制御によりコンテンツ保存手段１１６に保存されている複数の映像コンテンツに関連づけられた代表画像であるそれぞれのサムネイル画像やメタデータ保存手段１１５に保存されているテキストベースのそれぞれのメタデータに基づいて作成された複数の情報表示項目が、例えば記録された日時による時系列順で、図３に示された表示画面３０１中にコンテンツ一覧表示エリア３０４上のコンテンツＡからコンテンツＱのように、複数の行と列とで構成されたマトリクス状に選択可能に一覧で表示される（Ｓ１０２）。
【００６０】
なお図３で枠をハイライト表示するなどして強調表示がなされているコンテンツＱ３０６は、画面上のカーソルによって選択されている状態を示す（Ｓ１０３）。
【００６１】
ところで、コンテンツ情報表示エリア３０５はコンテンツ保存手段１１６に記録されているコンテンツと関連したメタデータの一部（タイトルやジャンル、コンテンツの内容説明など）をテキスト表示するエリアであり、メタデータ保存手段１１５に保存されているメタデータに基づくテキストデータが表示されている。従って、選択されているコンテンツＱ３０６に関連したメタデータの一部が、コンテンツ情報表示エリア３０５上にテキスト表示される。
【００６２】
次の処理である第１のオブジェクト表示処理（Ｓ１０４）について、図９と図１１を用いて詳細に説明する。
【００６３】
この処理の概要は、コンテンツ一覧表示エリア３０４上で選択されているコンテンツと列方向に同じで、列側キャラクタ表示エリア３０２上の位置に、そのコンテンツのメタデータを表すキャラクタを表示させるものである。キャラクタについての詳細な説明は後述する。
【００６４】
本第１の実施形態においては、選択されているコンテンツＱ３０６の状態は“お薦め”であるので、メタデータ保存手段１１５に保存されたデータの中から、“お薦め”に該当するメタデータを抽出する（図９のＳ２０１）。
【００６５】
さらに、オブジェクト選択手段１０７において、図１１で示されるような“お薦め”に対応した視聴状態キャラクタ３０３を、オブジェクト保存手段１０９から選択して呼び出す（Ｓ２０２、Ｓ２０３）。
【００６６】
そして、選択された視聴状態キャラクタ３０３を、列側キャラクタ表示エリア３０２上のコンテンツＱ３０６と列方向に同じ位置に表示する（Ｓ２０４）。
【００６７】
ここで図８の第２のオブジェクトに関しての判定処理（図８のＳ１０５）に移行する。
【００６８】
そして、次の処理である第２のオブジェクト表示処理（Ｓ１０６）について、図１０と図１２を用いて詳細に説明する。
【００６９】
この処理の概要は、コンテンツ一覧表示エリア２０４上で選択されているコンテンツと行方向に同じで、行側キャラクタ表示エリア３０７上の位置に、そのコンテンツのメタデータを表すキャラクタを表示させるものである。
【００７０】
本第２の実施形態においては、選択されているコンテンツＱ３０６のジャンルは“歴史関連”であるので、メタデータ保存手段１１５に保存されたデータの中から、“歴史関連”に該当するメタデータを抽出する（図１０のＳ３０１）。
【００７１】
さらに、オブジェクト選択手段１０７において、図１２で示されるような“歴史関連”に対応したジャンルキャラクタ３０８を、オブジェクト保存手段１０９から選択して呼び出す（Ｓ３０２、Ｓ３０３）。
【００７２】
そして、選択されたジャンルキャラクタ３０８を、行側キャラクタ表示エリア３０７上のコンテンツＱ３０６と行方向に同じ位置に表示する（Ｓ３０４）。
【００７３】
ここで図１２は、行側キャラクタ表示エリア３０７上に表示される第２のオブジェクトであるキャラクタの対応例を示している。この対応例では、コンテンツのジャンルには３つのジャンルがあり、また各々のジャンルには３つのキャラクタが各々対応されている。これらのキャラクタは、コンテンツのジャンルを表す個々のメタデータを基に個々に生成されたものである。
【００７４】
ところでユーザは、リモコン１１７上の十字方向操作ボタン５０２を操作することで、コンテンツ一覧表示画面上で、上下左右にカーソル移動をさせながら情報表示項目を任意に選択することが可能である。
【００７５】
ユーザがカーソルを移動させると、リモコン１１７からカーソル移動コマンドが送信され、リモコン送受信手段１０６によりそのコマンドが受信される（Ｓ１０７の“Ｙ”）。そして、この処理により新たに選択された情報表示項目に対して、この処理により上述した処理、即ち、選択された情報表示項目が強調表示され、そのコンテンツのメタデータに応じた内容をコンテンツ情報表示エリア３０５と列側キャラクタ表示エリア３０２と行側キャラクタ表示エリア３０７上に表示する処理が再度実行される。
【００７６】
また、ユーザがカーソルを移動させなかった場合（Ｓ１０７の“Ｎ”）で、リモコン１１７のコンテンツ表示ボタン５０１によるコンテンツ一覧表示ＯＦＦの操作が行われなかった場合（Ｓ１０８の“Ｎ”）は、この処理までに選択されていた情報表示項目に対して、上述した処理、即ち、選択された情報表示項目が強調表示され、そのコンテンツのメタデータに応じた内容をコンテンツ情報表示エリア３０５と列側キャラクタ表示エリア３０２と行側キャラクタ表示エリア３０７上に表示し、カーソル移動コマンドを待つ処理が再度実行される。
【００７７】
そして、ユーザがカーソルを移動させなかった場合（Ｓ１０７の“Ｎ”）で、リモコン１１７のコンテンツ表示ボタン５０１によりコンテンツ一覧表示ＯＦＦの操作が行われた場合は、リモコン１１７からコンテンツ一覧表示ＯＦＦコマンドが送信され、リモコン送受信手段１０６によりそのコマンドが受信される（Ｓ１０８の“Ｙ”）。そして、リモコン送受信手段１０６がコンテンツ一覧表示コマンドを受信して制御バス１０２へ出力すると、ＣＰＵ１０３の制御によりコンテンツ一覧表示処理は終了する（Ｓ１０９）。
【００７８】
以上説明したように第２の実施形態によれば、選択されたコンテンツの位置の行と列に対応した一覧表示エリア以外にキャラクタ表示することで、コンテンツ一覧表示画面上の他のコンテンツのサムネイルを隠すことなく、ユーザは選択されたコンテンツの状態やジャンルを視覚的に把握することが可能になる。
【００７９】
（第３の実施形態）
次に、本実施形態のＨＤＤレコーダやテレビにおけるコンテンツ一覧表示装置の第３の実施形態として、図４と図６を用いて説明する。
【００８０】
図４は、本発明のコンテンツ一覧表示装置の第３の実施形態を説明するものである。
【００８１】
図６は、上記コンテンツ一覧表示装置の第３の実施形態における外部装置との接続例を示す一概念図であり、ＨＤＤレコーダに外部ＨＤＤ６０１が通信部１１０や信号入出力部１１２により外部接続されている状態を示す。
【００８２】
第３の実施形態では、図４に示すように表示画面４０１上には大きく分けて４つのエリアが設けられている。一つはコンテンツ一覧表示エリア４０４で、このエリアは底辺と上辺と２つの側辺を有する矩形形状であって表示画面４０１上の左上側に寄って表示されている。もう一つは列側キャラクタ表示エリア４０２で、表示画面４０１上の左下側に、コンテンツ一覧表示エリア４０４とほぼ同じ幅でコンテンツ一覧表示エリア４０４の底辺に隣接して表示されている。もう一つは行側キャラクタ表示エリア４０７で、表示画面４０１上の右上側に、コンテンツ一覧表示エリア４０４とほぼ同じ幅でコンテンツ一覧表示エリア４０４の底辺に隣接して表示されている。もう一つはコンテンツ情報表示エリア４０５で、コンテンツ一覧表示エリア４０４と列側キャラクタ表示エリア４０２と行側キャラクタ表示エリア４０７と重ならないように表示画面４０１上の右下側に表示されている。それぞれのエリアで表示される内容については第２の実施形態と同様であるので説明は省略する。
【００８３】
まず、リモコン１１７のコンテンツ表示ボタン５０１によりコンテンツ一覧表示ＯＮの操作が行われると、リモコン１１７からコンテンツ一覧表示コマンドが送信され、リモコン送受信手段１０６によりそのコマンドが受信される。
【００８４】
リモコン送受信手段１０６がコンテンツ一覧表示コマンドを受信して制御バス１０２へ出力すると、ＣＰＵ１０３の制御によりコンテンツ保存手段１１６や外部ＨＤＤ６０１に保存されている複数の映像コンテンツに関連づけられた代表画像であるそれぞれのサムネイル画像やメタデータ保存手段１１５に保存されているテキストベースのそれぞれのメタデータに基づいて作成された複数の情報表示項目が、例えば記録された日時による時系列順で、図４に示された表示画面４０１中にコンテンツ一覧表示エリア４０４上のコンテンツＡからコンテンツＱのように、複数の行と列とで構成されたマトリクス状に選択可能に一覧で表示される（Ｓ１０２）。
【００８５】
なお図４で枠をハイライト表示するなどして強調表示がなされているコンテンツＫ４０６は、外部ＨＤＤ６０１に保存されているコンテンツであり、画面上のカーソルによって選択されている状態を示す
ところで、コンテンツ情報表示エリア４０５はコンテンツ保存手段１１６や外部ＨＤＤ６０１に記録されているコンテンツと関連したメタデータの一部（タイトルやジャンル、コンテンツの内容説明など）をテキスト表示するエリアであり、メタデータ保存手段１１５に保存されているメタデータに基づくテキストデータが表示されている。従って、選択されているコンテンツＫ４０６に関連したメタデータの一部が、コンテンツ情報表示エリア４０５上にテキスト表示される。
【００８６】
ところで、図４で図示されるコンテンツ一覧表示の第３の実施形態は、図３で図示されるコンテンツ一覧表示の第２の実施形態と大まかな表示手順は同じであって、状態“お薦め”が“視聴途中“に、視聴状態キャラクタ３０３が視聴状態キャラクタ４０３に、列側キャラクタ表示エリア３０２が列側キャラクタ表示エリア４０２に、ジャンル“歴史関連”が“動物関連”に、ジャンルキャラクタ３０８がジャンルキャラクタ４０８に、行側キャラクタ表示エリア３０７が行側キャラクタ表示エリア４０７に、それぞれ置き換わっている違いであるので説明は省略する。
【００８７】
ところで図４で図示されるコンテンツ一覧表示の第３の実施形態においては、選択されているコンテンツＫ４０６のデータは前述したように外部ＨＤＤ６０１に保存されており、選択されたコンテンツＫのデータが保存されている記録媒体の接続状態に対応した第３のオブジェクトであるところの保存位置キャラクタ４０９が、列側キャラクタ表示エリア４０２上に視聴状態キャラクタ４０３と共に表示されている。
【００８８】
つまり保存位置キャラクタ４０９は、視聴状態キャラクタ４０３やジャンルキャラクタ４０８と同様に、オブジェクト選択手段１０７において、外部ＨＤＤ６０１に保存されているという状態に対応した保存位置キャラクタ４０９として、オブジェクト保存手段１０９から選択されて呼び出され、そして表示される。
【００８９】
なお本実施形態における図４では、保存位置キャラクタ４０９は列側キャラクタ表示エリア４０２上に表示されているが、必ずしもこのエリアだけではなく、行側キャラクタ表示エリア４０７上に表示されても構わない。
【００９０】
更には、前述した第１の実施形態における列側キャラクタ表示エリア２０２上に、視聴状態キャラクタ２０３と共に表示することも可能である。
【００９１】
以上説明したように本第３の実施形態によれば、選択されたコンテンツの位置の行と列に対応した一覧表示エリア以外にキャラクタ表示することで、コンテンツ一覧表示画面上の他のコンテンツのサムネイルを隠すことなく、ユーザは選択されたコンテンツの状態やジャンルやデータ保存場所を視覚的に把握することが可能になる。
【００９２】
（第４の実施形態）
更に図７には、本実施形態のＨＤＤレコーダやテレビにおけるコンテンツ一覧表示装置として第４の実施形態としての表示画面が示されており、この実施形態では、これまでに説明してきたような、コンテンツ一覧が２次元タイル状に表示される実施形態とは異なり、３次元に可視化して表示される例を示している。
【００９３】
すなわち表示画面７０１上の画面レイアウトは、前述した第１、第２、第３の実施形態で２次元のコンテンツ一覧表示エリアがあったスペース７０９上には、３次元に可視化されたコーン状のコンテンツ一覧表示エリア７０４があり、その中には大きさの異なるコンテンツＡからコンテンツＤがそれぞれの一部が重なるようにして表示されている。
【００９４】
強調表示されているコンテンツＤ７０６はカーソルによって選択された状態で、コンテンツ一覧表示エリアがあったスペース７０９の底辺に隣接して表示されている列側キャラクタ表示エリア７０２上には視聴状態キャラクタ７０３が、コンテンツ一覧表示エリアがあったスペース７０９の側辺に隣接して表示されている行側キャラクタ表示エリア７０７上にはジャンルキャラクタ７０８が、また表示画面７０１条の右下側には、コンテンツ情報表示エリア７０５が表示されている。
【００９５】
ところで本第４の実施形態でも、これまでに説明したコンテンツ一覧表示装置の第２や第３の実施形態と同様に、選択されたコンテンツに対応した行と列にキャラクタ化されたコンテンツの状態やジャンルが表示されている。
【００９６】
つまり本第４の実施形態のように、３次元に可視化されて表示されたコンテンツ一覧画面においても、選択されたコンテンツと同じ行や列方向のキャラクタ表示エリアにキャラクタ表示することで、コンテンツ一覧表示画面上の他のコンテンツのサムネイルを隠すことなく、ユーザは選択されたコンテンツの状態やジャンルを視覚的に把握することが可能になる。
【００９７】
（第５の実施形態）
次に第５の実施形態として、リモコン１１７で備えている表示部５０４にキャラクタを表示している表示形態を図５を用いて説明する。
【００９８】
本実施例は、前述した第２の実施形態における、コンテンツ情報表示エリア３０５と、列側キャラクタ表示エリア３０２上に表示された視聴状態キャラクタ３０３を、リモコン１１７で備えている表示部５０４に表示している表示形態を示している。
【００９９】
なお本第５の実施形態は、第２の実施形態と並列して処理される実施形態である。
【０１００】
つまり本第５の実施形態では、表示画面３０１上に、コンテンツ情報表示エリア３０５や視聴状態キャラクタ３０３を表示する処理と併せて、リモコン送受信手段１０６からリモコン１１７へと、コンテンツ情報表示エリア３０５や視聴状態キャラクタ３０３を表示するために必要となるデータを送信する。
【０１０１】
なお本第５の実施形態は、前述した第１、第３、第４のそれぞれの実施形態と並列して処理される場合には、第１の実施形態における視聴状態キャラクタ２０３やコンテンツ情報表示エリア２０５、第３の実施形態における視聴状態キャラクタ４０３やコンテンツ情報表示エリア４０５やジャンルキャラクタ４０８や保存位置キャラクタ４０９、第４の実施形態における視聴状態キャラクタ７０３やコンテンツ情報表示エリア７０５やジャンルキャラクタ７０８も、同様にリモコン１１７で備えている表示部５０４に表示することも可能である。
【０１０２】
また図示はしていないが、コンテンツ情報表示エリア３０５や視聴状態キャラクタ３０３だけではなく、ジャンルキャラクタ３０８を、リモコン１１７で備えている表示部５０４に表示することも可能である。
【０１０３】
更に同様に図示はしていないが、本実施形態が第１、第２、第３、第４の実施形態と並列で処理されるのではなく、リモコン１１７上にキャラクタ表示ボタンなるものを備えた場合には、リモコン１１７で備えている表示部５０４に表示している状態と表示していない状態を交互に繰り返す形態も可能である。
【０１０４】
本第５の形態により、選択されたコンテンツの状態やジャンルやデータ保存場所、更にはコンテンツ情報を、ユーザの手元にあるリモコン１１７上で視覚的に把握することが可能である。
【０１０５】
なお、これまでに前述したそれぞれの実施形態では、保存されたコンテンツを一覧するコンテンツ一覧表での実施形態を説明してきたが、コンテンツ一覧表に置き換えてＥＰＧでも同様の実施形態をとることは可能である。ただしＥＰＧのデータは、コンテンツ保存手段１１６ではなくＥＰＧデータ保存手段１０８に保存されていて、更に情報表示項目には、サムネイル画像ではなく番組欄が表示されることになる。
【０１０６】
また、これまでに前述したそれぞれの実施形態では、図８で示したフローチャートによると、図５で示すリモコン１１７のコンテンツ表示ボタン５０１によりコンテンツ一覧表示ＯＮとコンテンツ一覧表示ＯＦＦの操作により、コンテンツ一覧表示処理の開始と終了を交互に繰り返す形態として説明したが、例えばコンテンツ表示ボタン５０１を押すことにより、前述した第１の実施例で説明した図２のコンテンツ一覧画面と、前述した第２の実施例で説明した図３のコンテンツ一覧画面と、前述した第３の実施例で説明した図４のコンテンツ一覧画面と、コンテンツ一覧画面終了、が順番に切り替わる形態も可能である。
【０１０７】
以上、本発明の実施形態について複数の形態にそって説明したが、本実施形態では、全体として、選択されたコンテンツの列や行に対応した一覧表示エリア以外のエリアにキャラクタを表示することにより、ユーザは選択されたコンテンツの状態を視覚的に把握することが可能になるという効果があるものである。
【０１０８】
さらに本実施形態のＨＤＤレコーダと同等の機能を有するテレビがあり、その実施形態においても同様の実施形態を行うことが可能である。
【図面の簡単な説明】
【０１０９】
【図１】本発明の一実施形態を示すＨＤＤレコーダの機能部単位でのシステム構成図。
【図２】本発明の一実施形態を示すコンテンツ一覧表示の第１の表示画面例。
【図３】本発明の一実施形態を示すコンテンツ一覧表示の第２の表示画面例。
【図４】本発明の一実施形態を示すコンテンツ一覧表示の第３の表示画面例。
【図５】リモコン操作部の一実施形態を示す図。
【図６】ＨＤＤレコーダに外部記録媒体が接続された場合の接続例を示す一概念図。
【図７】本発明の一実施形態を示すコンテンツ一覧表示の第４の表示画面例。
【図８】コンテンツ一覧表示処理のフローチャート。
【図９】第１のオブジェクト表示処理のフローチャート。
【図１０】第２のオブジェクト表示処理のフローチャート。
【図１１】コンテンツ状態と表示キャラクタとの対応を示す表。
【図１２】コンテンツジャンルと表示キャラクタとの対応を示す表。
【符号の説明】
【０１１０】
１０７…オブジェクト選択手段、１０９…オブジェクト保存手段、１１３…表示画面生成手段、１１５…メタデータ保存手段、１１６…コンテンツ保存手段、４０１…表示画面、４０２…列側キャラクタ表示エリア、４０３…視聴状態キャラクタ、４０４…コンテンツ一覧表示エリア、４０５…コンテンツ情報表示エリア、４０７…行側キャラクタ表示エリア、４０８…ジャンルキャラクタ、４０９…保存位置キャラクタ。
【図１】
2010034679.tif 000003
【図２】
2010034679.tif 000004
【図３】
2010034679.tif 000005
【図４】
2010034679.tif 000006
【図５】
2010034679.tif 000007
【図６】
2010034679.tif 000008
【図７】
2010034679.tif 000009
【図８】
2010034679.tif 000010
【図９】
2010034679.tif 000011
【図１０】
2010034679.tif 000012
【図１１】
2010034679.tif 000013
【図１２】
2010034679.tif 000014